(57)【要約】【課題】  ボトルの装飾、ナプキン等の布類の留め具の装飾、箸置きの装飾に利用できる、自立式の多目的花飾りを提供することである。【解決手段】  線材類の上部先端に生花、プリザーブド加工された花もしくは造花の花を接着し、生花の葉、プリザーブド加工された葉もしくは造花の葉を実際の植物のように接着した線材をらせん形状に加工することにより自立式かつ多目的に利用可能となる。【選択図】図８
2008307876.tif 000002
【特許請求の範囲】
【請求項１】
線材類の上部先端に生花、プリザーブド加工された花、もしくは造花の花を接着し、線材の側面に、生花の葉、プリザーブド加工された葉、もしくは造花の葉を実際の植物のように接着した線材をらせん形状に加工した飾りは、ボトルの装飾、ナプキン等の布類の留め具の装飾、自立式による箸置きの装飾、に利用できる、自立式、かつ多目的を特徴とする花飾り。
【発明の詳細な説明】
【技術分野】
【０００１】  本発明は、日常生活の食事の際において気軽に、そしてブライダルや記念すべきパーティ等で使用するボトルの装飾、ナプキン等布類の留め具の装飾、自立式による箸置きの装飾に、生花、プリザーブド加工された花もしくは造花の花を利用して装飾した多目的な装飾方法に関する。
【背景技術】
【０００２】  従来、生花、プリザーブド加工された花や造花の花を利用した装飾方法には図３に示す装飾がある。この装飾方法は花瓶や花の容器の中に、直線や曲線形状の線材に、本物の葉、プリザーブド加工された葉もしくは造花の葉を実際の植物のように接着し、上記線材の上部先端に生花、プリザーブド加工された花もしくは造花の花を接着し装飾する。【０００３】  従来のボトルの装飾には、リボンや紐類をリースにしたものに花を接着してボトルに掛けて装飾したものがあり、例えば、図４に示すボトルフラワー装飾がある。【０００４】  従来のナプキン等布類の留め具には、ナプキンを入れる図５に示すリング状のホルダーに花を接着する装飾方法や、図６に示すリボンや紐で結んだものに花を接着する装飾方法がある。【０００５】  従来の箸置きの装飾には、箸置き本体の形状が花の形になったものや、絵つけにて花を装飾、または、花瓶と箸置きが一体化された図７に示す箸置きがある。
【特許文献１】  実登３０６０８４６号  公報
【特許文献２】  実開平０７−００７５７３
【非特許文献１】  陶芸作家  堀川貴永の葉詩置き  ｈｔｔｐ：／／ｗｗｗ．ｂｒｏｗｓｅ．ｎｅ．ｊｐ／ＧｏｏｄｓＯｒｄｅｒ／ＨＴ／ｈｔ＿ｘ００１ｘ．ｐｈｐ
【発明の開示】
【発明が解決しようとする課題】
【０００６】  上記装飾図３から図７は、あくまで、生花をいかに美しく装飾するか、または、生花のように美しく見せるためにプリザーブド加工や造花により装飾するものであり、ボトルの装飾、ナプキン等布類の留め具の装飾、自立式による箸置きの装飾は、それぞれの装飾方法であり、多目的に装飾する機能はない。【０００７】  この発明の目的は、上記装飾図３から図７では不可能である、１つの花飾りでボトルの装飾、ナプキン等布類の留め具の装飾、自立式による箸置きの装飾などの多目的な用途に使用できる花装飾を提供することである。
【課題を解決するための手段】
【０００８】  上記目的を達成するための本発明の装飾図８に示す自立式の多目的花飾りは、線材類（自由自在に調整できる材質）の上部先端に生花、プリザーブド加工された花もしくは造花の花を接着して、次に生花の葉、プリザーブド加工された葉、もしくは造花の葉を実際の植物のように接着した線材をらせん形状に加工して形成することを特徴とするものである。
【発明を実施するための最良の形態】
【０００９】  本発明では、図１に示す線材類（自由自在に調整できる材質）を図２に示すらせん形状に加工することにより、花瓶、花容器にさすことなく、自立することができ、箸置きの花装飾では、図１１に示す装飾図は、本発明の装飾図８に示す自立式の多目的花飾りと大きさを問わない箸置きを合体させ設置する事が可能となり取り外しも簡単である。
【実施例】
【００１０】  図９〜図１１に、この発明の花装飾の実施例を示す。【００１１】  図９は、ボトルを装飾したものである。ボトルに留め具等の加工を施すことなくまたはリング形状にしなくても簡単に取り付け取り外しができて、取り外した花飾りを自立で飾ることも可能である。【００１２】  図１０は、ナプキンを装飾したものである。らせん形状でナプキンを留めることにより、簡単に取り付け取り外しができ、機能的である。【００１３】  図１１は、箸置きを装飾したものである。自立可能な花飾りのため、通常の箸置きに加工を施すことなく、簡単に取り付け取り外しができ、箸置きとしてまたは花装飾箸置きとして使いわけて利用できる。
【発明の効果】
【００１４】  本発明は、多目的に使うことができるため、日常生活の食事の際や、ブライダルや記念すべきパーティ等、使用者の用途にあった使い方が可能となり、簡単に取り付け取り外しができる自立した花飾りであるために、装飾図８に示す自立式の多目的花飾りは合体せずにそのままの花飾りとしてもファッション性が高い。
【００１５】  本発明は、酒類ボトルの肩の部分に上部からはめることができる。それにより、図９に示すボトルを花装飾で飾ることができ、パーティ等においておしゃれなボトルの演出が簡単に可能となり。酒造業業界の売上に注目される発明である。
【００１６】  本発明は、図１０に示すテーブルナプキン等の布を留めることが可能となり、テーブルナプキン等を花装飾で飾ることができ、パーティ等においておしゃれなテーブルナプキンの演出が簡単に可能となり、飲食業界でのテーブルコーディネート面での注目される発明  である。
【００１７】  本発明は、花瓶、花容器にさすことなく自立することができるため、図７に示す従来の  装飾方法でなくとも図８に示す花飾りと箸置きの合体により、図１１に示す装飾が可能となり、装着も簡単であるおしゃれな装飾となり、レストラン業界、ブライダル業界などで注目される発明である。
【００１８】  通常のいけばなやフラワーアレンジメント、プリザーブドフラワーアレンジメントにはない、ボトル、ナプキン等布類、箸置きへの花装飾の演出効果を得られ、おしゃれでファッション性も高い。
【産業上の利用可能性】
【００１９】  この発明によれば、取扱が簡単でしかも自立式花飾りであるため、日常生活において気軽に、そして簡単に花装飾を楽しむことができることは、消費者の美的ニーズにあっており、またブライダル業界やレストラン業界などの飲食業業界、酒造業界で利用される可能性が高い。また、上述したとおり、本発明品ひとつで、ボトルの装飾、テーブルナプキンなど布類等の留め具の装飾、箸置きの装飾として、多目的な花装飾を提供することができるため、花業界でも注目される可能性が高い。
【図面の簡単な説明】
【００２０】
【図１】線材の正面図
【図２】らせん形状の線材の正面図
【図３】従来の花瓶の花装飾の正面図
【図４】従来のボトルの花装飾の正面図
【図５】従来のナプキンの留め具への花装飾例１の正面図
【図６】従来のナプキンの留め具への花装飾例２の正面図
【図７】従来の箸置きへの花装飾例の正面図
【図８】自立式多目的花飾りの正面図
【図９】ボトルへの発明使用例の正面図
【図１０】ナプキン等布類の留め具への発明使用例の正面図
【図１１】箸置きへの発明使用例の正面図
【符号の説明】
【００２１】ａ  線材類（自由自在に調整できる材質）
ｂ  花瓶や花容器
ｃ  リボンや紐類
ｄ  ボトル（酒類や飲料水の入った容器）
ｅ  リング形状のホルダー
ｆ  ナプキン等の布類
ｇ  花瓶と一体化して加工された箸置き
ｈ  箸
ｉ  水
ｊ  生花
ｋ  自立式多目的花飾り
ｌ  箸置き
【図１】
2008307876.tif 000003
【図２】
2008307876.tif 000004
【図３】
2008307876.tif 000005
【図４】
2008307876.tif 000006
【図５】
2008307876.tif 000007
【図６】
2008307876.tif 000008
【図７】
2008307876.tif 000009
【図８】
2008307876.tif 000010
【図９】
2008307876.tif 000011
【図１０】
2008307876.tif 000012
【図１１】
2008307876.tif 000013